(57)【特許請求の範囲】
【請求項１】
記録媒体が巻回された第１の巻き芯の内周部に挿入され、前記第１の巻き芯を保持する軸芯と、
前記軸芯を回転自在に支持するカバーとを備えた記録媒体のホルダにおいて、
前記第１の巻き芯とは内径が異なる第２の巻き芯の内周部に挿入されて当該第２の巻き芯を保持する、前記軸芯に取り付け可能なアダプタを備え、
前記アダプタには、前記軸芯に対し着脱可能となるように係止部が形成されており、
前記軸心には、前記係止部の係止を案内するとともに、前記第１の巻き芯の装着を案内する第１のリブが設けられていることを特徴とする記録媒体のホルダ。
【請求項２】
前記係止部は、一端が前記軸芯に係止可能に形成され、他端が前記一端の係止を解除可能に形成されていることを特徴とする請求項１に記載の記録媒体のホルダ。
【請求項３】
前記係止部は、弾性変形により係止及び係止解除可能に形成されていることを特徴とする請求項２に記載の記録媒体のホルダ。
【請求項４】
前記アダプタには、第２のリブが設けられていることを特徴とする請求項１〜３の何れか一項に記載の記録媒体のホルダ。
【請求項５】
前記係止部は、前記第１のリブの端部に引っ掛かる鉤部を有しており、
前記アダプタを前記軸心の外周部に填め込んでいくと、前記鉤部は第１のリブの稜線に沿って進み、一旦押し広げられた後に前記第１のリブの稜線を外れて復元し、前記第１のリブの端部に引っ掛かって、前記アダプタを係止することを特徴とする請求項１〜４の何れか一項に記載の記録媒体のホルダ。
【請求項６】
請求項１〜５の何れか一項に記載の記録媒体のホルダを備えたことを特徴とする記録装置。
【発明の詳細な説明】
【０００１】
【発明の属する技術分野】
本発明は、ロール状の記録媒体を保持するホルダ及びそのホルダを有する記録装置に関する。
【０００２】
【従来の技術】
記録装置では、記録する用紙としていわゆるカット紙とロール紙が主に用いられている。例えばカット紙を用いる場合、カット紙は、ホッパーに一旦積層され保持された後、最上層のカット紙から順に給紙部により搬送部へ給紙される。そして、そのカット紙は、搬送部により記録部へ搬送され、記録部により印刷された後、搬送部により排出部へ搬送され排出される。
【０００３】
また、ロール紙を用いる場合、ロール紙は、ロール紙ホルダから給紙部を介して搬送部へ引き出された後、搬送部により記録部へ搬送され、記録部により印刷される。そして、ロール紙は、搬送部により切断部へ搬送された後、切断部により記録が完了した部分が所定長さに切断され、搬送部により排出部へ搬送され排出される。
【０００４】
【発明が解決しようとする課題】
上述した記録装置では、内径２インチの巻き芯に巻回されたロール紙または内径４インチの巻き芯に巻回されたロール紙が使用可能となっており、使用するロール紙によって専用のロール紙ホルダを使用するようになっている。このため、ロール紙の巻き芯の内径が変わる度にロール紙ホルダを交換・取付しなくてはならないため手間が掛かり、また嵩の大きいロール紙ホルダの保管・管理も煩わしいものとなっている。
【０００５】
本発明は、上記のような課題に鑑みなされたものであり、その目的は、芯の内径が異なるロール状の記録媒体を保持することができるホルダ及びこのホルダを有する記録装置を提供することにある。
【０００６】
【課題を解決するための手段】
上記目的達成のため、本発明の請求項に係る記録媒体のホルダでは、記録媒体が巻回された第１の巻き芯の内周部に挿入され、前記第１の巻き芯を保持する軸芯と、前記軸芯を回転自在に支持するカバーとを備えた記録媒体のホルダにおいて、前記第１の巻き芯とは内径が異なる第２の巻き芯の内周部に挿入されて当該第２の巻き芯を保持する、前記軸芯に取り付け可能なアダプタを備え、前記アダプタには、前記軸芯に対し着脱可能となるように係止部が形成されており、前記軸心には、前記係止部の係止を案内するとともに、前記第１の巻き芯の装着を案内する第１のリブが設けられていることを特徴とする。これにより、アダプタを軸芯に取付あるいは取外しするのみで、内径が異なる巻き芯に対応することができるので、従来のように内径が異なる巻き芯の記録媒体を使用するときに必要であったホルダ交換・取付の手間を省略することができ、記録準備作業の効率を向上させることができる。また、アダプタは少なくともホルダより小型に構成することができるので、その管理や保管が容易になる。
【０００７】
また、請求項に係る発明の記録媒体のホルダでは、前記係止部は、一端が前記軸芯に係止可能に形成され、他端が前記一端の係止を解除可能に形成されていることを特徴としている。また、前記係止部は、弾性変形により係止及び係止解除可能に形成されていることを特徴としている。また、前記アダプタには、第２のリブが設けられていることを特徴としている。また、前記係止部は、前記第１のリブの端部に引っ掛かる鉤部を有しており、前記アダプタを前記軸心の外周部に填め込んでいくと、前記鉤部は第１のリブの稜線に沿って進み、一旦押し広げられた後に前記第１のリブの稜線を外れて復元し、前記第１のリブの端部に引っ掛かって、前記アダプタを係止することを特徴としている。これにより、アダプタを軸芯に取付あるいは取外しする作業を容易に行うことができるので、内径が異なる巻き芯に変更使用する際に迅速に対応することができる。
【０００８】
また、内径が異なる巻き芯毎にホルダを揃えておく必要がなくなるので、従来のように内径が異なる巻き芯の記録媒体を使用するときに必要であったホルダ交換・取付の手間を省略することができ、記録準備作業の効率を向上させることができる。
【０００９】
本発明の請求項に係る記録装置では、上記各記録媒体のホルダを備えたことを特徴としている。これにより、上記各作用を奏する記録装置を提供することができる。
【００１０】
【発明の実施の形態】
以下、図面に基づいて本発明の実施の形態について詳細に説明する。
【００１１】
図１は、本発明の一実施の形態に係る記録装置の１つであるインクジェット式記録装置の外装構成の全体を斜め前方から見た斜視図である。このインクジェット式記録装置１００は、全体が幅方向に長く延びる略直方体状のハウジング１０１を備えている。このハウジング１０１の上部から前面にかけて形成されている窓部は、透明もしくは半透明な湾曲したカバー１１０によって覆われている。
【００１２】
そして、ハウジング１０１の上部右側には、操作部１２０等が配設され、ハウジング１０１の前部右側には、カードスロット部１３０等が配設されている。さらに、ハウジング１０１の後方側には、給紙口１４０等が配設され、ハウジング１０１の前方側には、排紙口１５０及び排紙スタッカ１６０等が配設されている。このインクジェット式記録装置１００は、不連続の用紙、すなわちカット紙の印刷と、連続した用紙、すなわちロール紙の印刷が可能となっている。
【００１３】
カバー１１０は、その上部の回動軸を中心に図１の矢印ａ方向に回動可能に取り付けられている。ユーザは、カバー１１０を持ち上げて窓部を開放することにより、窓部を通して後述するキャリッジ上に収納されるインクカートリッジの交換作業や内部機構のメンテナンス作業等を行うことができる。
【００１４】
操作部１２０は、パワーをオン・オフするパワー系のスイッチ１２１と、用紙の頭出し等を操作したり、インクのフラッシング等を操作する操作系のスイッチ１２２と、画像処理等を行う処理系のスイッチ１２３と、状態を表示する液晶パネル１２４等を備えている。
【００１５】
カードスロット部１３０は、ＰＣＭＣＩＡ  ＡＴＡ規格に準拠したメモリカードや、コンパクトフラッシュ、スマートメディア、メモリーステイック、マイクロドライブ、ＳＤカード等を必要であればＰＣカード用アダプタを介して読み書きするメモリカードドライブを備えている。
【００１６】
給紙口１４０には、その後縁と両端縁を囲むようにガイド壁１４１、１４２、１４３が形成されている。ガイド壁１４１は、用紙の面をガイドし、ガイド壁１４２は、用紙の一方のサイドエッジをガイドする機能を有する。そして、用紙のサイズが異なっても確実に用紙をガイドすることができるように、用紙の他方のサイドエッジをガイドするエッジガイドが、給紙口１４０の両端縁に形成されているガイド壁１４２、１４３間を、後縁に形成されているガイド壁１４１に沿って移動可能なように装着されている。
【００１７】
排紙口１５０の近傍には、ロール紙を所定の長さに切断するカッタ２０（図２、図３参照）と、用紙を排出する排紙ローラ１９９（図２、図３参照）が用紙搬送方向に順に配設されている。カッタ２０は、長尺の固定刃とこの固定刃に沿って移動可能な移動刃とこの移動刃を移動させる無端駆動ベルトを備えている。ロール紙が切断位置に位置決めされると、無端駆動ベルトの駆動により移動刃がロール紙の幅方向に移動開始して固定刃と協働しながらロール紙を剪断するようになっている。
【００１８】
排紙スタッカ１６０は、基端側の回動軸を中心にハウジング１０１の前面に図１の矢印ｂ方向に回動可能に取り付けられた１段目のスタッカ部材１６１と、この１段目のスタッカ部材１６１に対し格納・引出自在に設けられた先端側の２段目のスタッカ部材１６２と、この２段目のスタッカ部材１６２に対し格納・引出自在に設けられた先端側の３段目のスタッカ部材１６３の３段で構成されている。
【００１９】
この排紙スタッカ１６０は、不使用時は２断目と３段目のスタッカ部材１６２、１６３が１断目と２段目のスタッカ部材１６１、１６２に押し込まれて格納されるとともに、起立方向に回動されて排紙口１５０を閉鎖するようになっている。また、使用時は倒伏方向に回動されて排紙口１５０を開放するとともに、２断目と３段目のスタッカ部材１６２、１６３が１断目と２段目のスタッカ部材１６１、１６２から引き出されて、排出される用紙を受けて載置するようになっている。なお、２断目と３段目のスタッカ部材１６２、１６３は、用紙の大きさにより格納された状態で、あるいは引き出された状態で使用可能となっている。
【００２０】
図２及び図３は、インクジェット式記録装置１００の内部構成例を示す断面側面図である。図２に示すように、カット紙Ｐを印刷する場合は給紙口１４０の背部にカット紙Ｐを保持するペーパーサポート１４４が取り付けられ、また、図３に示すように、ロール紙Ｒを印刷する場合は給紙口１４０の背部にロール紙Ｒを保持したロール紙ホルダ１０が取り付けられる。なお、ペーパーサポート１４４とロール紙ホルダ１０は、着脱可能に構成されており、何れか一方が取り付けられるようになっている。ペーパーサポート１４４は、カット紙Ｐの面を保持する機能を有し、給紙口１４０のガイド壁１４１に近接して斜め後方に突き出るように配設される。ロール紙ホルダ１０は、後で詳述するが、給紙口１４０の後方に着脱自在に取り付けられる。
【００２１】
そして、図２に示すように、給紙口１４０から差し込まれ、ホッパー１９１に積載された複数枚のカット紙Ｐは、給紙ローラ１９２の回転に伴うホッパー１９１の上昇により、分離パッド１９３で給紙ローラ１９２に押付けられて最上位のカット紙Ｐから１枚づつ分離され、ぺーパーガイド１９４に沿って紙送りローラ１９５に給送される。一方、図３に示すように、ロール紙ホルダ１０から引き出され、給紙口１４０から紙送りローラ１９５に差し込まれたロール紙Ｒは、紙送りローラ１９５とその従動ローラ１９５ａとで挟持される。
【００２２】
そして、図２に示すカット紙Ｐあるいは図３に示すロール紙Ｒは、紙送りローラ１９５とその従動ローラ１９５ａによりキャリッジ１９６の底部に搭載された記録ヘッド１９７側へ送り出されて印刷される。このとき、インクジェット式記録装置１００の制御部は、例えばイエロー、ライトイエロー、マゼンタ、ライトマゼンタ、シアン、ライトシアン、ブラックの計７色のインクカートリッジ１９８から記録ヘッド１９７へ各色インクを供給し、各色インクの吐出タイミング及びキャリッジ１９６や紙送りローラ１９５の駆動を制御して、高精度なインクドット制御、ハーフトーン処理等を実行する。最後に、カット紙Ｐは、排紙ローラ１９９とその従動ローラ１９９ａにより排紙口１５０から排紙され、またロール紙Ｒは、カッタ２０により所定長さに切断された後、排紙ローラ１９９とその従動ローラ１９９ａにより排紙口１５０から排紙される。
【００２３】
図４〜図６は、ロール紙ホルダ１０の詳細を示す分解斜視図、側面図、断面平面図である。このロール紙ホルダ１０は、内径２インチの巻き芯に巻回されたロール紙Ｒの保持と、内径４インチの巻き芯に巻回されたロール紙Ｒの保持を兼用するホルダとなっている。内径２インチの巻き芯に巻回されたロール紙Ｒを保持するロール紙ホルダ１０は、ロール紙Ｒの巻き芯Ｒｏを保持する軸芯１１と、この軸芯１１の両端を回転自在に支持し、装着されたロール紙Ｒの外周面の一部を覆うことでロール紙Ｒの許容範囲を超える巻き解けを防止するカバー１２とを備えている。
【００２４】
一方、内径４インチの巻き芯に巻回されたロール紙Ｒを保持するロール紙ホルダ１０は、上記軸芯１１及びカバー１２と、さらに後で詳述するアダプタ１６（図９、図１０参照）を備えている。軸芯１１、カバー１２及びアダプタ１６は、それぞれ左右対称のものが２組用意されており、これらでロール紙Ｒを両側から狭持することでロール紙Ｒのホルダとして一体化される構成になっている。
【００２５】
軸芯１１は、中空円筒状の部材であり、一方の端部には内径２インチのロール紙Ｒの巻き芯Ｒｏの端部内周に挿入されることにより巻き芯Ｒｏを内側から保持する挿入保持片１１ａと、ロール紙Ｒの円滑な装着を可能にする案内リブ１１ｂとが形成されている。また、軸芯１１の中央には後述するカバー１２の軸受部１２ａによって遊嵌保持される胴部１１ｃが形成されており、他方の端部にはキャップ状の操作ノブ１１ｄが一体的に形成されている。
【００２６】
挿入保持片１１ａは、幾分円周方向に湾曲した矩形平板状の部材であり、その自由端側の一部は胴部１１ｃの外周面から半径方向に一定の間隙Ｇを隔てて片持ち状態で支持されている。このような間隙Ｇを形成することにより、カバ一１２に軸芯１１を取り付ける際に、カバー１２の軸受部１２ａと軸芯１１の胴部１１ｃとの重なり部分を多くすることができるので、軸芯１１をカバー１２にコンパクトな状態でよりしっかりと保持させることが可能となる。
【００２７】
また、挿入保持片１１ａの自由端側の端部には半径方向外側に突出する度当て１１ｅが形成されている。この度当て１１ｅは、ロール紙Ｒの巻き芯Ｒｏの両端面に当接することにより、２組の軸芯１１及びカバー１２の軸方向での距離を規定する機能を果たす。
【００２８】
案内リブ１１ｂは、板バネ状の弾性片１１ｆの自由端側先端に形成されており、ロール紙Ｒの巻き芯Ｒｏヘの挿入側には傾斜案内面１１ｇが形成されている。胴部１１ｃの操作ノブ１１ｄ側の周面には４個所にスリットが形成されており、各スリットの形成部位にはカバー１２との係合手段となる弾性係合片１１ｈが形成されている。
【００２９】
カバー１２は、ロール紙Ｒの幅方向端部の周面を覆う被覆部１２ｂと、その外方の端面の一部を閉塞する円環状の端部閉塞部１２ｃと、端部閉塞部１２ｃの内径端縁から内側に向けて張り出すように形成される円筒状の軸受部１２ａと、被覆部１２ｂの前面側下方に一例として形成される転がり防止台座１２ｄとを有している。
【００３０】
被覆部１２ｂの前面側上方の部位は一部切除されており、この部分は装着されたロール紙Ｒを繰り出すための繰り出し開口部１２ｅとなっている。また、被覆部１２ｂの内周面はロール紙Ｒ側へ向って拡がるようにテーパ状に形成されており、これによりロール紙Ｒの端縁と被覆部１２ｂの内面とが線接触して、ロール紙Ｒの回転時の摩擦抵抗が極力小さくなるようにしている。
【００３１】
端部閉塞部１２ｃの内径端縁付近には、軸芯１１における弾性係合片１１ｈと係合する係合段差部１２ｆが形成されており、弾性係合片１１ｈと係合段差部１２ｆとの係合によりカバー１２の外側方向への移動が制限されるようになっている。一方、カバー１２の内側方向への移動は、軸受部１２ａの内向きの端面と挿入保持片１１ａの外向きの端面との当接によって制限されている。
【００３２】
また、軸受部１２ａの内径は軸芯１１における胴部１１ｃの外径より幾分大きめに設定されており、これによりロール紙Ｒの軸心の多少の揺れや傾きを許容してロール紙Ｒの送り出しを滑らかに行えるようにする作用と、軸芯１１とカバー１２との結合を容易にする作用を併せ持つ。尚、軸芯１１とカバー１２の材料は共に同じ材料、例えば硬質のプラスチック材料が適用できる。この場合、摩擦係数が同じであるため、軸受部１２ａに摺接する胴部１１ｃの回転は安定性を増すようになる。
【００３３】
転がり防止台座１２ｄは、被覆部１２ｂに形成されている繰り出し開口部１２ｅの下方から斜め下方に延びる取付傾斜面１２ｇと、この取付傾斜面１２ｇの下端と被覆部１２ｂの最下部とを水平に連結する実質的な転がり防止作用をする台座面１２ｈとを有している。そして、取付傾斜面１２ｇには、図７に示すようにインクジェット式記録装置１００の給紙口１４０の後方に形成されている係合溝１３、あるいは図８に示すような後付けアタッチメント１５に形成されている係合溝１５ａに係合し保持される係合爪１２ｉが形成されている。ここで、後付けアタッチメント１５は、例えばペーパーサポート取付用の被取付部を利用して取り付けられるように構成されており、これにより上記係合溝１３が無いタイプのインクジェット式記録装置にもロール紙ホルダ１０を適用することができる。
【００３４】
これらの係合溝１３、１５ａと係合爪１２ｉとの間にはカバー１２の取付位置を規制する左右誤装着防止機構が設けられている。すなわち、係合溝１３、１５ａにおける実質的な保持作用を行う保持作用部１３ａ、１５ｂに形成される位置決めスリット１３ｂ、１５ｃの位置と、係合爪１２ｉにおける保持鉤部１２ｊから垂直に立ち上がる位置決めリブ１２ｋの位置とを左右対称とせず、幾分左右いずれかに偏った位置に設定することにより、誤って左右を反対にして装着しようとした場合でも装着できないようになっている。
【００３５】
また、図８に示すように、位置決めスリット１５ｃは位置決めリブ１２ｋを受け入れる入口側において広く、奥部側において狭くなるように形成されており、これにより両者の係合状態は比較的寛容となり、ロール紙Ｒの軸心の多少の揺れや傾きを許容してロール紙Ｒが滑らかに回転して確実に繰り出されるようになっている。
【００３６】
図９は、上記アダプタ１６を示す斜視図、図１０は、それを軸芯１１に装着し、その軸芯１１をカバー１２に装着したときの断面図、図１１は、それをインクジェット式記録装置１００に取り付けた状態を示す斜視図である。このアダプタ１６は、中空円筒状の部材であり、カバー１２側の外周端部には内径４インチのロール紙の巻き芯の端部内周に挿入されることにより巻き芯を内側から保持する挿入保持片１６ａと、ロール紙の円滑な装着を可能にする案内リブ１６ｂとが形成されている。
【００３７】
また、アダプタ１６の内周部には、軸芯１１に挿入されることにより軸芯１１の案内リブ１１ｂの端部に係止する係止爪１６ｃが形成されている。この係止爪１６ｃは、アダプタ１６の内周部に１８０度隔てた２個所形成されており、カバー１２側の一端が案内リブ１１ｂの端部に引っ掛かる鉤状に形成され、途中の部位がアダプタ１６の内周面に一体化され、他端が外側を向いたＬ字状に形成されている。
【００３８】
このような構成のアダプタ１６の内周部を軸芯１１の外周部に填め込んでいくと、アダプタ１６の係止爪１６ｃの鉤部が軸芯１１の案内リブ１１ｂの稜線に沿って進むので、係止爪１６ｃの鉤部側は一体部を支点として一旦押し広げられる。さらに、アダプタ１６の内周部を軸芯１１の外周部に填め込んでいくと、係止爪１６ｃの鉤部が案内リブ１１ｂの稜線を外れるので、係止爪１６ｃの鉤部側が弾性力により復元して係止爪１６ｃの鉤部が案内リブ１１ｂの端部に係止する。これにより、アダプタ１６を軸芯１１に取り付けることができる。一方、２個所の係止爪１６ｃのＬ字部を指で摘んでつぼめることにより、係止爪１６ｃの鉤部側は一体部を支点として一旦押し広げられるので、係止爪１６ｃの鉤部は案内リブ１１ｂの端部から外れる。これにより、アダプタ１６を軸芯１１から取り外すことができる。
【００３９】
このような構成によれば、アダプタ１６を軸芯１１に取り付けた状態で内径４インチの巻き芯のロール紙を使用することができる。そして、使用済みの内径４インチの巻き芯をアダプタ１６から抜くときは、係止爪１６ｃが軸芯１１に引っ掛かっているので、アダプタ１６が軸芯１１から抜けることはない。また、アダプタ１６を軸芯１１から抜くときは、係止爪１６ｃを摘んでつぼめるのみでよい。そして、アダプタ１６を軸芯１１から取り外した状態では内径２インチの巻き芯のロール紙を使用することができる。したがって、小型のアダプタ１６の交換作業のみで、内径の異なる巻き芯のロール紙に迅速に対応することができる。また、アダプタ１６が小型であるので、保管や管理も容易となる。
【００４０】
以上、本発明を種々の実施形態に関して述べたが、本発明は以上の実施形態に限られるものではなく、特許請求の範囲に記載された発明の範囲内で、他の実施形態についても適用されるのは勿論である。例えば、記録装置としてインクジェット式のプリンタを例に説明したが、これに限られるものではなく、ロール紙が使用可能な記録装置であれば、例えば熱転写式等のプリンタ、インクジェット式、熱転写式等のファクシミリ装置やコピー装置等にも適用可能である。
【００４１】
【発明の効果】
以上説明したように、本発明によれば、内径が異なる巻き芯毎にホルダを揃えておく必要がなくなるので、従来のように内径が異なる巻き芯の記録媒体を使用するときに必要であったホルダ交換・取付の手間を省略することができ、記録準備作業の効率を向上させることができる。
【図面の簡単な説明】
【図１】本発明の一実施の形態に係る記録装置の１つであるインクジェット式記録装置の外装構成の全体を斜め前方から見た斜視図である。
【図２】図１のインクジェット式記録装置の内部構成例を示す第１の断面側面図である。
【図３】図１のインクジェット式記録装置の内部構成例を示す第２の断面側面図である。
【図４】図１のインクジェット式記録装置に使用可能なロール紙ホルダの詳細を示す分解斜視図である。
【図５】図１のインクジェット式記録装置に使用可能なロール紙ホルダの詳細を示す側面図である。
【図６】図１のインクジェット式記録装置に使用可能なロール紙ホルダの詳細を示す断面平面図である。
【図７】図４のロール紙ホルダの取付部位を示す斜視図である。
【図８】図４のロール紙ホルダの取付部位を示す別の斜視図である。
【図９】図４のロール紙ホルダに取付可能なアダプタを示す斜視図である。
【図１０】図９のアダプタを軸芯に装着し、その軸芯をカバーに装着したときの断面図である。
【図１１】図１０のロール紙ホルダをインクジェット式記録装置に取り付けた状態を示す斜視図である。
【符号の説明】
１０        ロール紙ホルダ
１１        軸芯
１２        カバー
１６        アダプタ
１６ｃ      係止爪
２０        カッタ
１００      インクジェット式記録装置
１０１      ハウジング
１１０      カバー
１２０      操作部
１３０      カードスロット部
１４０      給紙口
１５０      排紙口
１６０      排紙スタッカ
１６１、１６２、１６３  スタッカ部材
１９９      排紙ローラ
【図１】
0003858984.tif 000002
【図２】
0003858984.tif 000003
【図３】
0003858984.tif 000004
【図４】
0003858984.tif 000005
【図５】
0003858984.tif 000006
【図６】
0003858984.tif 000007
【図７】
0003858984.tif 000008
【図８】
0003858984.tif 000009
【図９】
0003858984.tif 000010
【図１０】
0003858984.tif 000011
【図１１】
0003858984.tif 000012